(57)【要約】【課題】壁梁の配筋作業が容易となる、壁梁の構造を提供すること。【解決手段】壁梁１１は、略同一の高さ位置に略平行に配置された一対の上側梁主筋３０ＵＬ、３０ＵＲと、一対の上側梁主筋３０ＵＬ、３０ＵＲの直下で略同一の高さ位置に略平行に配置された一対の下側梁主筋４０ＤＬ、４０ＤＲと、壁梁１１の長さ方向に沿って所定間隔おきに複数設けられたあばら筋６０Ａ、６０Ｂと、を備える。あばら筋６０Ａ、６０Ｂは、一対の上側梁主筋３０ＵＬ、３０ＵＲの一方に引っ掛けられた上側フック６１と、一方の上側梁主筋３０ＵＬ、３０ＵＲの直下に位置する下側梁主筋４０ＤＬ、４０ＤＲに引っ掛けられた下側フック６２と、上側フック６１から延びて上側梁主筋３０ＵＬ、３０ＵＲおよび下側梁主筋４０ＤＬ、４０ＤＲに一周半巻かれて下側フック６２に至るあばら筋本体６３と、を備える。【選択図】図５
2019105035.tif 000002
【特許請求の範囲】
【請求項１】
プレキャストコンクリート造の壁板の上部に設けられた壁梁の構造であって、
当該壁梁は、略同一の高さ位置に略平行に配置された一対の上側梁主筋と、当該一対の上側梁主筋の直下で略同一の高さ位置に略平行に配置された一対の下側梁主筋と、前記壁梁の長さ方向に沿って所定間隔おきに複数設けられて前記上側梁主筋および前記下側梁主筋を囲むあばら筋と、を備え、
当該あばら筋は、一対の上側梁主筋の一方に引っ掛けられた上側フックと、当該一方の上側梁主筋の直下に位置する下側梁主筋に引っ掛けられた下側フックと、前記上側フックから延びて前記上側梁主筋および下側梁主筋に一周半巻かれて前記下側フックに至るあばら筋本体と、を備えることを特徴とする壁梁構造。
【請求項２】
前記上側フックおよび前記下側フックは、前記あばら筋本体に対する角度が略１８０°のフックであることを特徴とする請求項１に記載の壁梁構造。
【請求項３】
前記あばら筋は、前記壁梁の断面視で、前記上側フックおよび前記下側フックが左側に位置するものと、前記上側フックおよび前記下側フックが右側に位置するものと、が交互に配置されることを特徴とする請求項１または２に記載の壁梁構造。
【発明の詳細な説明】
【技術分野】
【０００１】
本発明は、プレキャストコンクリート造の壁梁の構造に関する。
【背景技術】
【０００２】
従来より、壁式構造の建物では、工期を短縮するために、プレキャストコンクリート造の壁板を予め製作し、この壁板を現場に運搬して互いに接合することが行われている（特許文献１参照）。
このような壁式構造の建物では、壁板の開口の上となる位置に壁梁が設けられる場合がある。この場合、壁梁の幅寸法が壁厚と同一であるにもかかわらず、壁梁に壁筋よりも太径の梁主筋を配筋し、この梁主筋の周囲にあばら筋を配筋する。
【０００３】
すなわち、図６に示すように、壁梁１００には、４本の上側梁主筋１０１Ａ〜１０１Ｄと、４本の下側梁主筋１０２と、これら上側梁主筋１０１Ａ〜１０１Ｄおよび下側梁主筋１０２を囲む矩形枠状のあばら筋１１０と、が設けられている。
【０００４】
このあばら筋１１０は、図６中右側上段の上側梁主筋１０１Ａに引っ掛けられたフック１１１と、同じく図６中右側上段の上側梁主筋１０１Ａに引っ掛けられたフック１１２と、フック１１１から上側梁主筋１０１Ａ〜１０１Ｄおよび下側梁主筋１０２に１周巻かれてフック１１２に至るあばら筋本体１１３と、を備える。
【０００５】
このように、あばら筋１１０の２つのフック１１１、１１２は、同一の上側梁主筋１０１Ａに引っ掛けられている。梁主筋に引っ掛けるあばら筋のフックの角度は、１８０°または１３５°と規定されているが、フックの角度を１８０°とした場合、１本の梁主筋に２本のフックを引っ掛けようとすると、あばら筋の配筋作業が非常に困難となる。よって、図６に示すように、１本の梁主筋に２本のフック１１１、１１２を引っ掛ける場合、このフック１１１、１１２の角度を１３５°としている。
【先行技術文献】
【特許文献】
【０００６】
【特許文献１】特開平１１−２８０１７８号公報
【発明の概要】
【発明が解決しようとする課題】
【０００７】
以上の壁梁は、壁板内に設けられているため、壁梁の梁幅が壁厚と同一となっている。よって、上側梁主筋１０１Ａが図６中左側の上側梁主筋１０１Ｂ、１０１Ｄに近接して配置されることとなり、上側梁主筋１０１Ａに引っ掛けられたフック１１２の先端が、図６中左側の上側梁主筋１０１Ｂ、１０１Ｄに干渉しやすくなり、壁梁の配筋に手間がかかったり、配筋できなかったりする場合がある、という問題があった。
また、壁梁に４本ではなく２本の上側梁主筋１０１Ａ、１０１Ｂのみが配置された場合も、上側梁主筋１０１Ａに引っ掛けられたフック１１２の先端が、上側梁主筋１０１Ｂに干渉しやすくなるため、同様の問題が生じていた。
【０００８】
本発明は、壁梁の配筋作業が容易となる、壁梁の構造を提供することを目的とする。
【課題を解決するための手段】
【０００９】
請求項１に記載の壁梁構造は、プレキャストコンクリート造の壁板（例えば、後述の壁板１０）の上部に設けられた壁梁（例えば、後述の壁梁１１）の構造であって、当該壁梁は、略同一の高さ位置に略平行に配置された一対の上側梁主筋（例えば、後述の３０ＵＬ、３０ＵＲ）と、当該一対の上側梁主筋の直下で略同一の高さ位置に略平行に配置された一対の下側梁主筋（例えば、後述の下側梁主筋４０ＤＬ、４０ＤＲ）と、前記壁梁の長さ方向に沿って所定間隔おきに複数設けられて前記上側梁主筋および前記下側梁主筋を囲むあばら筋（例えば、後述のあばら筋６０Ａ、６０Ｂ）と、を備え、当該あばら筋は、一対の上側梁主筋の一方に引っ掛けられた上側フック（例えば、後述の上側フック６１）と、当該一方の上側梁主筋の直下に位置する下側梁主筋に引っ掛けられた下側フック（例えば、後述の下側フック６２）と、前記上側フックから延びて前記上側梁主筋および下側梁主筋に一周半巻かれて前記下側フックに至るあばら筋本体（例えば、後述のあばら筋本体６３）と、を備えることを特徴とする。
【００１０】
請求項２に記載の壁梁構造は、前記上側フックおよび前記下側フックは、前記あばら筋本体に対する角度が略１８０°のフックであることを特徴とする。
【００１１】
この発明によれば、上側フックを上側梁主筋に引っ掛けるとともに、下側フックを下側梁主筋に引っ掛ける構造とした。つまり、２つのフックを異なる梁主筋に引っ掛ける構造とした。したがって、施工性を確保するために、各フックの角度を略１３５°とする必要がないから、上側フックや下側フックの先端が隣接する梁主筋に干渉するのを防いで、鉄筋の納まりを良好にできるので、壁梁の配筋作業が容易になる。
また、あばら筋本体を上側梁主筋および下側梁主筋に一周半巻いたことにより、壁梁の水平断面視であばら筋１本当りの断面積が増大するので、せん断補強筋としてのあばら筋の設置間隔を従来に比べて広くできる。
【００１２】
請求項３に記載の壁梁構造は、前記壁梁の断面視で、前記上側フックおよび前記下側フックが左側に位置するものと、前記上側フックおよび前記下側フックが右側に位置するものと、が交互に配置されることを特徴とする。
【００１３】
この発明によれば、上側フックおよび下側フックが左側に位置するものと、上側フックおよび下側フックが右側に位置するものと、を交互に配置したので、あばら筋のフックの配置が左右どちらかに偏るのを防止して、壁梁の構造的なバランスを良好にできる。
【発明の効果】
【００１４】
本発明によれば、上側フックや下側フックの先端が隣接する梁主筋に干渉するのを防いで、鉄筋の納まりを良好にできるので、壁梁の配筋作業が容易になる。
【図面の簡単な説明】
【００１５】
【図１】本発明の一実施形態に係る壁梁構造が適用された集合住宅の立面図である。
【図２】前記実施形態に係る集合住宅の一部の平面図である。
【図３】前記実施形態に係る集合住宅の一部の立面図である。
【図４】壁梁の図３中破線Ａで示す部分の縦断面図である。
【図５】図４のＢ−Ｂ断面図およびＣ−Ｃ断面図である。
【図６】本発明の従来例に係る壁梁の断面図である。
【発明を実施するための形態】
【００１６】
以下、本発明の一実施形態を図面に基づいて説明する。
図１は、本発明の一実施形態に係る壁梁構造が適用された集合住宅１の立面図である。図２は、集合住宅１の一部の平面図である。
【００１７】
集合住宅１は、５階建ての壁式構造の建物であり、この集合住宅１の各階は、プレキャストコンクリート造の壁板１０と、鉄筋コンクリート造の床スラブ２０と、を組み合わせて構築される。
【００１８】
また、この集合住宅１の各階は、並んで配置された複数の居室２と、複数の居室２に沿って延びる廊下３と、廊下３の居室２を挟んで反対側に設けられてかつ複数の居室２に沿って延びるベランダ４と、を備える。
各居室２同士は、間仕切壁５で仕切られている。居室２と廊下３との間、および、居室２とベランダ４との間は、外壁６で仕切られている。
【００１９】
図３は、集合住宅１の一部の立面図である。
外壁６は、プレキャストコンクリート造の壁板１０からなり、この壁板１０には開口部１２が形成されている。壁板１０の開口部１２の上側つまり上端部には、壁梁１１が設けられている。
壁板１０の上には、鉄筋コンクリート造の床スラブ２０が設けられており、壁板１０の壁梁１１は、床スラブ２０に接合されている。
【００２０】
図４は、壁梁１１の図３中破線Ａで示す部分の縦断面図である。図５（ａ）は、図４のＢ−Ｂ断面図であり、図５（ｂ）は、図４のＣ−Ｃ断面図である。
壁梁１１は、４本の上側梁主筋３０と、４本の下側梁主筋４０と、２本の腹筋５０と、壁梁１１の長さ方向に沿って所定間隔おきに設けられてこれら上側梁主筋３０、下側梁主筋４０、および腹筋５０を囲むあばら筋６０と、を備える。
【００２１】
上側梁主筋３０および下側梁主筋４０は、上下２段で設けられている。
すなわち、上側梁主筋３０は、略同一の高さ位置に略平行に配置された一対の上側梁主筋３０ＵＬ、３０ＵＲと、これら上側梁主筋３０ＵＬ、３０ＵＲの直下で略同一の高さ位置に略平行に配置された一対の上側梁主筋３０ＤＬと、３０ＤＲと、を備える。
【００２２】
下側梁主筋４０は、略同一の高さ位置に略平行に配置された一対の下側梁主筋４０ＵＬ、４０ＵＲと、これら下側梁主筋４０ＵＬ、４０ＵＲの直下で略同一の高さ位置に略平行に配置された一対の下側梁主筋４０ＤＬ、４０ＤＲと、を備える。
以上の上側梁主筋３０および下側梁主筋４０の添え字Ｕは、上段を示し、添え字Ｄは、下段を示す。また、添え字Ｌは、図５中左側を示し、添え字Ｒは、図５中右側を示す。
また、腹筋５０は、上側梁主筋３０と下側梁主筋４０との中間の高さ位置に設けられている。
【００２３】
あばら筋６０としては、壁梁１１の断面視で、後述の上側フック６１および下側フック６２が左側に位置するあばら筋６０Ａ（図５（ａ）参照）と、上側フック６１および下側フック６２が右側に位置するあばら筋６０Ｂ（図５（ｂ）参照）と、が交互に配置される。
【００２４】
あばら筋６０Ａは、上側梁主筋３０ＵＬに引っ掛けられた上側フック６１と、この上側梁主筋３０ＵＬの直下に位置する下側梁主筋４０ＤＬに引っ掛けられた下側フック６２と、上側フック６１から延びて上側梁主筋３０および下側梁主筋４０に図５（ａ）中反時計回りに一周半巻かれて下側フック６２に至るあばら筋本体６３と、を備える。
上側フック６１および下側フック６２は、あばら筋本体６３に対する角度が略１８０°のフックである。
【００２５】
あばら筋６０Ｂは、上側梁主筋３０ＵＲに引っ掛けられた上側フック６１と、この上側梁主筋３０ＵＲの直下に位置する下側梁主筋４０ＤＲに引っ掛けられた下側フック６２と、上側フック６１から延びて上側梁主筋３０および下側梁主筋４０に図５（ｂ）中時計回りに一周半巻かれて下側フック６２に至るあばら筋本体６３と、を備える。
【００２６】
本実施形態によれば、以下のような効果がある。
（１）あばら筋６０Ａ、６０Ｂの上側フック６１を上側梁主筋３０ＵＬ、３０ＵＲに引っ掛けるとともに、下側フック６２を下側梁主筋４０ＤＬ、４０ＤＲに引っ掛ける構造とした。つまり、２つのフック６１、６２を異なる梁主筋に引っ掛ける構造とした。したがって、施工性の低下を防止するために、フックの角度を略１３５°とする必要がないから、上側フックや下側フックの先端が隣接する梁主筋に干渉するのを防いで、鉄筋の納まりを良好にできるので、壁梁１１の配筋作業が容易になる。
また、あばら筋本体６３を上側梁主筋３０および下側梁主筋４０に一周半巻いたことにより、壁梁１１の水平断面視であばら筋６０の１本当りの断面積が増大するので、あばら筋６０の設置間隔を従来に比べて広くできる。
【００２７】
（２）上側フック６１および下側フック６２が図５（ａ）中左側に位置するあばら筋６０Ａと、上側フック６１および下側フック６２が図５（ｂ）中右側に位置するあばら筋６０Ｂと、を交互に配置したので、あばら筋のフック６１、６２の配置が左右どちらかに偏るのを防止して、壁梁の構造的なバランスを良好にできる。
【００２８】
なお、本発明は前記実施形態に限定されるものではなく、本発明の目的を達成できる範囲での変形、改良等は本発明に含まれるものである。
【符号の説明】
【００２９】
１…集合住宅  ２…居室  ３…廊下  ４…ベランダ  ５…間仕切壁  ６…外壁
１０…壁板  １１…壁梁  １２…開口部  ２０…床スラブ
３０ＵＬ、３０ＵＲ、３０ＤＬ、３０ＤＲ…上側梁主筋
４０ＵＬ、４０ＵＲ、４０ＤＬ、４０ＤＲ…下側梁主筋  ５０…腹筋
６０、６０Ａ、６０Ｂ…あばら筋
６１…上側フック  ６２…下側フック  ６３…あばら筋本体
【図１】
2019105035.tif 000003
【図２】
2019105035.tif 000004
【図３】
2019105035.tif 000005
【図４】
2019105035.tif 000006
【図５】
2019105035.tif 000007
【図６】
2019105035.tif 000008